(57)【特許請求の範囲】
【請求項１】
表示部を照明する複数の光源と、前記複数の光源の断線を検出する断線検出手段と、を備えた照明装置において、
前記複数の光源が、１つの前記表示部に対して線対称となるように配置され、
前記断線検出手段により断線が検出されると、前記複数の光源のうち当該断線が検出された光源に対して線対称位置に配置された光源を消灯する消灯手段を
さらに備えたことを特徴とする照明装置。
【請求項２】
前記表示部が、速度計と、当該速度計以外の第１表示部と、の複数設けられ、
前記複数の光源が、前記速度計を照明する複数の速度計用光源と、前記第１表示部を照明する複数の第１表示部用光源と、から構成され、
前記消灯手段が、前記速度計用光源及び前記第１表示部用光源のうち前記第１表示部用光源が断線した場合のみ、当該断線が検出された第１表示部用光源に対して線対称位置に配置された第1表示部用光源を消灯させ、前記速度計用光源については消灯させない
ことを特徴とする請求項１に記載の照明装置。
【請求項３】
前記表示部が、互いに線対称に配置されたオド・トリップ表示部と、当該オド・トリップ表示部以外の第２表示部と、の複数設けられ、
前記複数の光源が、前記オド・トリップ表示部を照明するオド・トリップ表示部用光源と、前記第２表示部を照明する第２表示部用光源と、から構成され、
前記消灯手段が、前記オド・トリップ表示部用光源及び前記第２表示部用光源のうち前記オド・トリップ表示用光源が断線した場合のみ、前記第２表示部用光源を消灯させ、前記第２表示部用光源が断線した場合は前記オド・トリップ表示部用光源については消灯させない
ことを特徴とする請求項１又は２に記載の照明装置。
【発明の詳細な説明】
【技術分野】
【０００１】
本発明は、照明装置に係り、表示部を照明する複数の光源と、複数の光源の断線を検出する断線検出手段と、を備えた照明装置に関するものである。
【背景技術】
【０００２】
自動車等の移動体には、各種の計測手段が計測した移動体の状況を移動体の乗員に対して表示する表示装置が搭載されている。このような表示装置として、例えば、車両のインストルメントパネルに取り付けられた図１〜図３に示されたメータユニット１が提案されている（特許文献１）。
【０００３】
同図に示すように、メータユニット１には、速度計４ｂ、オド・トリップ表示部５ｂといった車両操作に不可欠な表示部と、回転計４ａ、時計表示部５ａなどのオプション的性向を持つ表示部と、が設けられている。これら表示部は、夜間などでは、その背面に配置したＬＥＤ等の光源で照明されている。このような照明は、高度な品質で支えられ、ほとんど故障することがないが、まれに断線が発生することがあり、その場合表示バランスが崩れて見栄えが悪くなることがある。
【０００４】
例えば、回転計４ａには、図３に示すように、その文字板４１ａの背面に指針４２ａの回転軸を中心に円弧状に複数の回転計用光源Ｌ２１〜Ｌ２８が配置されている。これら複数の回転計用光源Ｌ２１〜Ｌ２８は、指針４２ａの回転軸を通り鉛直方向Ｙ２に沿った対称軸Ａ２を中心として線対称になるように配置されている。これら複数の回転計用光源Ｌ２１〜Ｌ２８のうち例えば、回転計用光源Ｌ２１のみが断線して消えていると、対称軸Ａ２を中心とした左右の照明バランスが崩れて見栄えが悪くなる。
【０００５】
また、例えば、図１に示すように、オド・トリップ表示部５ｂと時計表示部５ａとは液晶表示器などで構成されていて、メータユニット１の中心を通り鉛直方向Ｙ２に沿った対称軸Ａ１に対して互いに線対称に配置されている。このため、例えば、オド・トリップ表示部５ｂ及び時計表示部５ａのうちオド・トリップ表示部５ｂの光源のみが消灯すると、対称軸Ａ１を中心として左右の表示バランスが崩れて見栄えが悪くなる。
【先行技術文献】
【特許文献】
【０００６】
【特許文献１】特開２００８−２８６５７５号公報
【発明の概要】
【発明が解決しようとする課題】
【０００７】
そこで、本発明は、断線が生じても表示バランスの崩れを防いで見栄えが悪くならない照明装置を提供することを課題とする。
【課題を解決するための手段】
【０００８】
上述した課題を解決するための請求項１記載の発明は、表示部を照明する複数の光源と、前記複数の光源の断線を検出する断線検出手段と、を備えた照明装置において、前記複数の光源が、１つの前記表示部に対して線対称となるように配置され、前記断線検出手段により断線が検出されると、前記複数の光源のうち当該断線が検出された光源に対して線対称位置に配置された光源を消灯する消灯手段をさらに備えたことを特徴とする照明装置に存する。
【００１０】
請求項２記載の発明は、前記表示部が、速度計と、当該速度計以外の第１表示部と、の複数設けられ、前記複数の光源が、前記速度計を照明する複数の速度計用光源と、前記第１表示部を照明する複数の第１表示部用光源と、から構成され、前記消灯手段が、前記速度計用光源及び前記第１表示部用光源のうち前記第１表示部用光源が断線した場合のみ、当該断線が検出された第1表示部用光源に対して線対称位置に配置された第１表示部用光源を消灯させ、前記速度計用光源については消灯させないことを特徴とする請求項１に記載の照明装置に存する。
【００１１】
請求項３記載の発明は、前記表示部が、互いに線対称に配置されたオド・トリップ表示部と、当該オド・トリップ表示部以外の第２表示部と、の複数設けられ、前記複数の光源が、前記オド・トリップ表示部を照明するオド・トリップ表示部用光源と、前記第２表示部を照明する第２表示部用光源と、から構成され、前記消灯手段が、前記オド・トリップ表示部用光源及び前記第２表示部用光源のうち前記オド・トリップ表示用光源が断線した場合のみ、前記第２表示部用光源を消灯させ、前記第２表示部用光源が断線した場合は前記オド・トリップ表示部用光源については消灯させないことを特徴とする請求項１又は２に記載の照明装置に存する。
【発明の効果】
【００１３】
以上説明したように請求項１記載の発明によれば、消灯手段が、断線が検出された光源に対して線対称位置に配置された光源を消灯するので、断線が生じても対称軸を中心とした表示バランスが崩れることがないので、見栄えが悪くならない。
【００１４】
請求項２記載の発明によれば、消灯手段が、速度計用光源及び第１表示部用光源のうち第１表示部用光源が断線した場合のみ、当該断線が検出された光源に対応する光源を消灯させるので、速度計を照明する速度計用光源については消灯されないため、車両の運転に不可欠な速度計が見えにくくなることを防ぐことができる。
【００１５】
請求項３記載の発明によれば、消灯手段が、オド・トリップ表示部用光源及び第２表示部用光源のうち第２表示部用光源のみを消灯させるので、断線が生じても対称軸を中心とした表示バランスが崩れることがないので、見栄えが悪くならない。第２表示部用光源が断線してもオド・トリップ表示部を照明するオド・トリップ表示部用光源については消灯されないため、車両の運転に不可欠なオド・トリップ表示部が見えにくくなることを防ぐことができる。
【図面の簡単な説明】
【００１６】
【図１】本発明の照明装置を組み込んだメータユニットの一実施形態を示す正面図である。
【図２】図１のＩ−Ｉ線断面図である。
【図３】図１に示す回転計を構成する回転計用光源の配置位置を説明するための説明図である。
【図４】図１に示すメータユニットの電気構成を示す回路図である。
【図５】回転計用光源において断線が検出された光源と、それに対応して消灯させる光源と、を定めたテーブルを示す表である。
【図６】オド・トリップ表示部用光源と時計表示部用光源との断線、消灯の関係を定めたテーブルを示す表である。
【図７】図４に示すＣＰＵの処理手順を示すフローチャートである。
【図８】図７に示す断線検出処理の詳細を示すフローチャートである。
【発明を実施するための形態】
【００１７】
以下、本発明の照明装置を図面に基づいて説明する。図１は、本発明の照明装置を組み込んだメータユニットの一実施形態を示す正面図である。図２は、図１のＩ−Ｉ線断面図である。このメータユニット１は、車両のインストルメントパネルに取り付けられていて、各種の計測手段が計測した移動体の状況を移動体の乗員に対して表示する。
【００１８】
同図に示すように、メータユニット１は、図１に示すように、車両のシフトレバー位置を示すシフトインジケータ２と、車両のターンレバー位置を示すターンＲ３ａ及びターンＬ３ｂと、エンジンの回転数を表示する回転計４ａ（＝表示部、第１表示部）と、車両の速度を表示する速度計４ｂ（＝表示部）と、時刻を表示する時計表示部５ａ（＝表示部、第２表示部）と、オド・トリップを表示するオド・トリップ表示部５ｂ（＝表示部）と、燃料残量を表示する燃料計６ａと、エンジン冷却水の温度を表示する水温計６ｂと、を備えている。
【００１９】
上記メータユニット１はさらに、図２などに示すように、各種電子部品が搭載されるプリント基板７と、このプリント基板７などを収容するケース８と、ケース８の背面を覆う裏カバー９と、ケース８の正面を覆う表ガラス１０と、メータユニット１の表示不要部分を隠す見返し１１と、を備えている。
【００２０】
上記シフトインジケータ２は、図１に示すように、駐車状態を示す「Ｐ」インジケータ２１と、後進を示す「Ｒ」インジケータ２２と、ニュートラル状態を示す「Ｎ」インジケータ２３と、ドライブ状態を示す「Ｄ」インジケータ２４と、１速及び２速の速度レンジに制御される状態を示す「２」インジケータ２５と、１速固定の状態を示す「Ｌ」インジケータ２６と、を備え、これらが軸Ａ１上に並べて配置されている。この軸Ａ１は、メータユニット１の左右方向Ｙ１の中心を通り鉛直方向Ｙ２に平行な軸である。また、これら「Ｐ」、「Ｒ」、「Ｎ」、「Ｄ」、「２」、「Ｌ」インジケータ２２〜２６は、その背面に配置された光源Ｌ（図４）によって照明され、光輝する。
【００２１】
上記ターンＲ３ａは、ターンレバーが右折指示位置にあることを示す。上記ターンＬ３ｂは、ターンレバーが左折指示位置にあることを示す。これらターンＲ３ａ及びターンＬ３ｂは、上記軸Ａ１を対称軸として互いに線対称位置に配置されている。また、これらターンＲ３ａ及びターンＬ３ｂは、その背面に配置された光源Ｌ（図４）によって照明され、光輝する。
【００２２】
上記回転計４ａ及び速度計４ｂは、指針装置から構成されていて、互いに上記軸Ａ１を対称軸として線対称位置に配置されている。この回転計４ａは、図１及び図２などに示すように、表面にエンジン回転数を示す目盛、数字、文字又は記号等の表示意匠が形成された文字板４１ａと、この文字板４１ａの正面に配置される指針４２ａと、文字板４１ａの背面に配置され、エンジン回転数の計測量に応じて指針４２ａを回転させるムーブメント４３ａ（図２及び図４）と、背面から文字板４１ａを照明する複数の回転計用光源Ｌ２１〜Ｌ２８（図３及び図４）と、回転計用光源Ｌ２１〜Ｌ２８からの光を文字板４１ａに反射する反射面４４ａ（図２）と、を備えている。
【００２３】
上記速度計４ｂは、回転計４ａと同様に、図１などに示すように、表面に速度を示す目盛、数字、文字又は記号等の表示意匠が形成された文字板４１ｂと、この文字板４１ｂの正面に配置される指針４２ｂと、文字板４１ｂの背面に搭載され、車両の速度の計測量に応じて指針４２ｂを回転させるムーブメント４３ｂ（図４）と、背面から文字板４１ｂを照明する複数の速度計用光源Ｌ３１〜Ｌ３８（図４）と、速度計用光源Ｌ３１〜Ｌ３８からの光を文字板４１ｂに反射する図示しない反射面と、を備えている。
【００２４】
上記文字板４１ａ、４１ｂは、円盤状の透明基板と、該透明基板の正面に設けられ上記表示意匠を表す着色透過層と、上記表示意匠が除かれた遮光層と、で構成されている。上記回転計４ａのムーブメント４３ａ及び速度計４ｂのムーブメント４３ｂは、これら文字板４１ａ、４１ｂの背面に配置されたプリント基板７上に搭載されている。
【００２５】
また、回転計用光源Ｌ２１〜Ｌ２８及び速度計用光源Ｌ３１〜Ｌ３８も上記プリント基板７上に配置されている。また、回転計用光源Ｌ２１〜Ｌ２８は、図３に示すように、軸Ａ２を対称軸とした線対称位置に互いに配置されている。軸Ａ２は、文字板４１ａの中心、即ち指針４２ａの回転軸を通り鉛直方向Ｙ２に平行な軸である。なお、図３中、Ｘ１〜Ｘ８は、回転計用光源Ｌ２１〜Ｌ２８の照明エリアである。上記速度計用光源Ｌ３１〜Ｌ３８も同様に、文字板４１ｂの中心、即ち指針４２ｂの回転軸を通り鉛直方向Ｙ２に平行な図示しない軸を対称軸とした線対称位置に互いに配置されている。
【００２６】
上記燃料計６ａ及び水温計６ｂは、指針装置から構成されていて、上記軸Ａ１を対称軸として線対称位置に配置されている。これら燃料計６ａ、水温計６ｂは、上述した回転計４ａ、速度計４ｂと同様に、図１に示すように、表面に燃料残量、水温を示す目盛、数字、文字又は記号等の表示意匠が形成された文字板６１と、この文字板６１の正面に配置される指針６２と、文字板６１の背面に搭載され、車両の速度の計測量に応じて指針６２を回転させる図示しないムーブメントと、背面から文字板６１を照明する複数の光源Ｌ（図４）と、を備えている。
【００２７】
上記時計表示部５ａは、図４などに示すように、液晶表示部（以下ＬＣＤ）５１ａと、このＬＣＤ５１ａを背面から照明する時計表示部用光源Ｌ４１〜Ｌ４ｎと、を備えている。上記ＬＣＤ５１ａは、文字板４１ａの下方に設けられた開口に配置されていて、時計表示部用光源Ｌ４１〜Ｌ４ｎは、プリント基板７上に配置されている。
【００２８】
上記オド・トリップ表示部５ｂは、図４などに示すように、ＬＣＤ５１ｂと、このＬＣＤ５１ｂの背面から照明するオド・トリップ表示部用光源Ｌ５１〜Ｌ５ｎと、を備えている。上記ＬＣＤ５１ｂは、文字板４１ｂの下方に設けられた開口に配置されていて、オド・トリップ表示部用光源Ｌ５１〜Ｌ５ｎは、プリント基板７上に配置されている。これら時計表示部５ａ及びトリップ表示部５ｂは、互いに上記軸Ａ１を対称軸として線対称位置に配置されている。
【００２９】
次に、上述した構成のメータユニット１の電気構成図について図４を参照して説明する。上記メータユニット１は、予め定めたプログラムに従って各種の処理や制御などを行いユニット全体の制御を司るＣＰＵ１２と、ＣＰＵ１２のためのプログラム等を格納した読み出し専用のメモリであるＲＯＭ１３と、各種のデータを格納すると共にＣＰＵ１２の処理作業に必要なエリアを有する読み出し書き込み自在のメモリであるＲＡＭ１４と、を備えている。
【００３０】
上記ＣＰＵ１２は、電源回路１５からの電源供給を受けて動作を行う。上記電源回路１５は、バッテリ＋Ｂからの電源からＣＰＵ１２の駆動電圧Ｖｃｃを生成して、ＣＰＵ１２に供給している。上記ＣＰＵ１２のリセット端子は、Ｉ／Ｆ１６ａを介してイグニッションスイッチＩＧＮ＋に接続されていて、イグニッションスイッチＩＧＮ＋がオフになるとリセットされる。上記ＣＰＵ１２は、Ｉ／Ｆ１６ｂを介してＣＡＮに接続されていて、このＣＡＮから各種の計測手段が計測したエンジン回転数、車速など計測値を受信する。また、上記ＣＰＵ１２は、不揮発性のＥＥＰＲＯＭ１７、オド・トリップスイッチＳＷに接続されている。
【００３１】
また、上記ＣＰＵ１２は、回転計４ａのムーブメント４３ａ、速度計４ｂのムーブメント４３ｂ、燃料計６ａ、水温計６ｂの図示しないムーブメントに駆動電圧を供給するモータドライバ１８に接続されていて、ＣＡＮから受信した計測値に基づいてモータドライバ１８を制御することによりこれら回転計４ａのムーブメント４３ａ、速度計４ｂのムーブメント４３ｂ、燃料計６ａ、水温計６ｂの図示しないムーブメントを制御する。
【００３２】
上記ＣＰＵ１２は、ＬＣＤドライバ１９ａ、１９ｂにそれぞれ接続されていて、これらＬＣＤドライバ１９ａ、１９ｂを制御することによりこれらＬＣＤ５１ａ、ＬＣＤ５１ｂの表示を制御する。
【００３３】
上記光源Ｌ、回転計用光源Ｌ２１〜Ｌ２８、速度計用光源Ｌ３１〜Ｌ３８、時計表示部用光源Ｌ４１〜Ｌ４ｎ、オド・トリップ表示部用光源Ｌ５１〜Ｌ５ｎは各々、発光ダイオードから構成されていて、その両端がＣＰＵ１２に接続されると共にアノードが駆動電圧ＶＨに接続されている。ＣＰＵ１２は、これら発光ダイオードのアノード−カソード間の電圧を制御することにより、発光ダイオードの点灯を制御する。詳しくは、ＣＰＵ１２は、アノード及びカソードの両者にグランド電位を供給して発光ダイオードを消灯させ、アノードをオープンにすると共にカソードにグランド電位を供給してアノード−カソード間に駆動電圧ＶＨを印加して発光ダイオードを点灯させる。
【００３４】
上記回転計用光源Ｌ２１〜Ｌ２８及びオド・トリップ表示部用光源Ｌ５１〜Ｌ５ｎは、その両端がそれぞれ分圧抵抗Ｒ１、Ｒ２を介してＣＰＵ１２に接続されている。また、回転計用光源Ｌ２１〜Ｌ２８及びオド・トリップ表示部用光源Ｌ５１〜Ｌ５ｎと、分圧抵抗Ｒ１と、の接続点電圧Ｖｃが抵抗Ｒ３を介してＣＰＵ１２に内蔵されたＡ／Ｄ変換器２０に接続されている。
【００３５】
上記Ａ／Ｄ変換器２０は、接続点電圧Ｖｃをデジタルに変換してＣＰＵ１２に対して供給する。上記接続点電圧Ｖｃは、回転計用光源Ｌ２１〜Ｌ２８及びオド・トリップ表示部用光源Ｌ５１〜Ｌ５ｎが断線している場合は、駆動電圧ＶＨと等しい電圧となり、回転計用光源Ｌ２１〜Ｌ２８及びオド・トリップ表示部用光源Ｌ５１〜Ｌ５ｎが断線していない場合、駆動電圧ＶＨが分圧抵抗Ｒ１、Ｒ２などで分圧されて駆動電圧ＶＨよりも小さい電圧となる。即ち、ＣＰＵ１２は、接続点電圧Ｖｃにより回転計用光源Ｌ２１〜Ｌ２８及びオド・トリップ表示部用光源Ｌ５１〜Ｌ５ｎの各々の断線を検出することができる。
【００３６】
なお、上記ＥＥＰＲＯＭ１７には、図５に示すように、回転計用光源Ｌ２１〜Ｌ２８において断線が検出された光源と、それに対応して消灯させる光源と、を定めたテーブルが記録されている。詳しくは、図５に示すように、テーブルは、回転計用光源Ｌ２１が断線したときは回転計用光源Ｌ２８を消灯させ、回転計用光源Ｌ２２、Ｌ２３が断線したときは回転計用光源Ｌ２７、Ｌ２８を消灯させるように、予め定められている。
【００３７】
また、テーブルは、回転計用光源Ｌ２４、Ｌ２５が断線したときは他の光源については消灯させないように、予め定められている。さらに、テーブルは、回転計用光源Ｌ２６〜Ｌ２８が断線したときは回転計用光源Ｌ２３〜Ｌ２１を消灯させるように、予め定められている。即ち、図３及び図５を比較すると明らかなように、このテーブルは、断線が検出された光源に対して線対称位置に配置された光源を消灯するように予め定められている。
【００３８】
また、上記ＥＥＰＲＯＭ１７には、図６に示すように、オド・トリップ表示部用光源Ｌ５１〜Ｌ５ｎが断線したとき、それに対応した時計表示部用光源Ｌ４１〜Ｌ４ｎを消灯させることを定めたテーブルが記録されている。図１及び図６を比較すると明らかなように、このテーブルは、断線が検出されたオド・トリップ表示部用光源Ｌ５１〜Ｌ５ｎが照明するオド・トリップ表示部５ｂに対して線対称位置に配置された時計表示部５ａを照明する時計表示部用光源Ｌ４１〜Ｌ４ｎを消灯するように予め定められている。
【００３９】
また、メータユニット１には、図示しない断線警告灯や多重表示ディスプレイなどの報知手段が設けられていて、ＣＰＵ１２は、これら回転計光源Ｌ２１〜Ｌ２８及びオド・トリップ表示部用光源Ｌ５１〜Ｌ５ｎの各々の段線を検出したとき、メータの警告灯や多重表示ディスプレイにその旨を表示させて、搭乗者に知らせる。
【００４０】
次に、上述した構成のメータユニット１の動作について図７及び図８を参照して以下説明する。図７は、図４に示すＣＰＵ１２の処理手順を示すフローチャートである。図８は、図７に示す断線検出処理の詳細を示すフローチャートである。図７に示すように、ＣＰＵ１２は、運転者によってライトスイッチがオンすると処理を開始し、全ての光源Ｌ、Ｌ２１〜Ｌ２８、Ｌ３１〜Ｌ３８、Ｌ４１〜Ｌ４ｎ、Ｌ５１〜Ｌ５ｎを点灯させてメータユニット１を照明する（ステップＳ１）。
【００４１】
次に、ＣＰＵ１２は、断線検出手段として働き、回転計用光源Ｌ２１〜Ｌ２８及びオド・トリップ表示部用光源Ｌ５１〜Ｌ５ｎ各々の断線を検出する断線検出処理を行う（ステップＳ２)。図８に示すように、断線検出処理においてＣＰＵ１２は、まずｍに１を代入する（ステップＳ２０１）。次に、回転計用光源Ｌ２ｍの接続点電圧ＶｃをＡ／Ｄ変換器２０から取り込み（ステップＳ２０２）、取り込んだ接続点電圧Ｖｃが駆動電圧ＶＨとほぼ等しいか否かを判定する（ステップＳ２０３）。
【００４２】
その後、ＣＰＵ１２は、接続点電圧Ｖｃが駆動電圧ＶＨとほぼ等しいと判定すると（ステップＳ２０３でＹ）、回転計用光源Ｌ２ｍが断線していると判定してその旨を示すフラグを立てた後（ステップＳ２０４）、ステップＳ２０５に進む。一方、ＣＰＵ１２は、接続点電圧Ｖｃが小さく駆動電圧ＶＨと等しくないと判定すると（ステップＳ２０３でＮ）、回転計用光源Ｌ２ｍは断線していないと判定してステップＳ２０４に進むことなく、直ちにステップＳ２０５に進む。ステップＳ２０５において、ＣＰＵ１２は、ｍをインクリメントし、その後、ｍ＞８であるか判定する(ステップＳ２０６)。ｍ＞８でなければ（ステップＳ２０６でＮ）、ＣＰＵ１２は、全ての回転計用光源Ｌ２１〜Ｌ２８の断線検出が終了していないと判定して再びステップＳ２１に戻る。
【００４３】
一方、ＣＰＵ１２は、ｍ＞８であれば(ステップＳ２０６でＹ)、回転計用光源Ｌ２１〜Ｌ２８全ての断線検出が終了したと判定して、次に、Ｍに１を代入する（ステップＳ２０７）。その後、オド・トリップ表示部用光源Ｌ５Ｍの接続点電圧ＶｃをＡ／Ｄ変換器２０から取り込み（ステップＳ２０８）、取り込んだ接続点電圧Ｖｃが駆動電圧ＶＨとほぼ等しいか否かを判定する（ステップＳ２０９）。
【００４４】
その後、ＣＰＵ１２は、接続点電圧Ｖｃが駆動電圧ＶＨと等しいと判定すると（ステップＳ２０９でＹ）、オド・トリップ表示部用光源Ｌ５Ｍが断線していと判定してその旨を示すフラグを立てた後（ステップＳ２１０）、次のステップＳ２１１に進む。一方、ＣＰＵ１２は、接続点電圧Ｖｃが小さく駆動電圧ＶＨと等しくないと判定すると（ステップＳ２０９でＮ）、オド・トリップ表示部用光源Ｌ５Ｍは断線していないと判定してステップＳ２１０に進むことなく、直ちにステップＳ２１１に進む。ステップＳ２１１において、ＣＰＵ１２は、Ｍをインクリメントし、その後、Ｍ＞ｎであるか判定する(ステップＳ２１２)。Ｍ＞ｎでなければ(ステップＳ２１２でＮ)、ＣＰＵ１２は、全てのオド・トリップ表示部用光源Ｌ５１〜Ｌ５ｎの断線検出が終了していないと判定して再びステップＳ２０８に戻る。
【００４５】
一方、ＣＰＵ１２は、Ｍ＞ｎであれば（ステップＳ２１２でＹ）、オド・トリップ表示部用光源Ｌ５１〜Ｌ５ｎ全ての断線検出が終了したと判定して、図７のステップＳ３に進む。次に、ＣＰＵ１２は、１つでも断線フラグが立っていて断線検出処理により断線が検出されていると（ステップＳ３でＹ）、消灯手段として働き、図５及び図６に示すテーブルを参照して断線が検出された光源に対応する光源を消灯した後（ステップＳ４）、ステップＳ２に戻る。一方、ＣＰＵ１２は、断線検出処理により断線が検出されないと（ステップＳ３でＮ）、直ちにステップＳ２に戻る。
【００４６】
上述したメータユニット１によれば、ＣＰＵ１２は、断線検出処理により断線が検出されると、回転計用光源Ｌ２１〜Ｌ２８のうち当該断線が検出された回転計用光源Ｌ２１〜Ｌ２８を除いた他の回転計用光源Ｌ２１〜Ｌ２８の中から予め定めた断線が検出された回転計用光源Ｌ２１〜Ｌ２８に対応する光源を消灯させるので、断線が生じても表示バランスの崩れを防いで見栄えが悪くならない。
【００４７】
詳しくは、ＣＰＵ１２は、図５に示すテーブルに従って、回転計用光源Ｌ２１が断線したときは回転計用光源Ｌ２８を消灯させ、回転計用光源Ｌ２２、Ｌ２３が断線したときは回転計用光源Ｌ２７、Ｌ２８を消灯させる。また、ＣＰＵ１２は、回転計用光源Ｌ２４、Ｌ２５が断線したときは他の光源Ｌ２１〜Ｌ２３、Ｌ２６〜Ｌ２８については消灯させない。また、ＣＰＵ１２は、回転計用光源Ｌ２６〜Ｌ２８が断線したときは回転計用光源Ｌ２３〜Ｌ２１を消灯させる。即ち、ＣＰＵ１２は、断線が検出された回転計用光源Ｌ２１〜Ｌ２８に対して線対称位置に配置された回転計用光源Ｌ２１〜Ｌ２８を消灯するので、断線が生じても対称軸Ａ２を中心とした表示バランスが崩れることがないので、見栄えが悪くならない。
【００４８】
また、上述したメータユニット１によれば、ＣＰＵ１２は、速度計用光源Ｌ３１〜Ｌ３８及び回転計用光源Ｌ２１〜Ｌ２８のうち回転計用光源Ｌ２１〜Ｌ２８が断線した場合のみ、当該断線が検出された回転計用光源Ｌ２１〜Ｌ２８に対応する回転計用光源Ｌ２１〜Ｌ２８を消灯させるので、速度計４ｂを照明する速度計用光源Ｌ３１〜Ｌ３８については消灯されないため、車両の運転に不可欠な速度計４ｂが見えにくくなることを防ぐことができる。
【００４９】
上述したメータユニット１によれば、ＣＰＵ１２が、断線が検出されたオド・トリップ表示部用光源Ｌ５１〜Ｌ５ｎが照明するオド・トリップ表示部５ｂに対して線対称位置に配置された時計表示部５ａを照明する時計表示部用光源Ｌ４１〜Ｌ４ｎを消灯する。詳しくは、ＣＰＵ１２は、オド・トリップ表示部用光源Ｌ５１〜Ｌ５ｎの断線数と同じ数の時計表示部用光源Ｌ４１〜Ｌ４ｎを消灯する。これにより、オド・トリップ表示部用光源Ｌ５１〜Ｌ５ｎに断線が生じてオド・トリップ表示部５ｂが暗くなっても時計表示部５ａも暗くなるので、対称軸Ａ１を中心とした表示バランスが崩れることがなく、見栄えが悪くならない。
【００５０】
上述したメータユニット１によれば、ＣＰＵ１２が、オド・トリップ表示部用光源Ｌ５１〜Ｌ５ｎ及び時計表示部用光源Ｌ４１〜Ｌ４ｎのうち時計表示部用光源Ｌ４１〜Ｌ４ｎのみを消灯させ、オド・トリップ表示部用光源Ｌ５１〜Ｌ５ｎについては消灯させないので、時計表示部用光源Ｌ４１〜Ｌ４ｎが断線してもオド・トリップ表示部５ｂを照明するオド・トリップ表示部用光源Ｌ５１〜Ｌ５ｎについては消灯されないため、車両の運転に不可欠なオド・トリップ表示部５ｂが見えにくくなることを防ぐことができる。
【００５１】
なお、上述した実施形態によれば、断線検出は、回転計用光源Ｌ２１〜Ｌ２ｎ及びオド・トリップ表示部用光源Ｌ５１〜Ｌ５ｎのみ行っていたが、本発明はこれに限ったものではない。メータユニット１に設けられた全ての光源Ｌ、Ｌ２１〜Ｌ２８、Ｌ３１〜Ｌ３８、Ｌ４１〜Ｌ４ｎ、Ｌ５１〜Ｌ５ｎの断線検出を行ってもよい。
【００５２】
また、図１は、各回転計４ａ、速度計４ｂ、時計表示部５ａ、オド・トリップ表示部５ｂの配置は一例であり、他の配置でもよい。
【００５３】
また、本実施形態では、回転計４ａを第１表示部としていたが、本発明はこれに限ったものではない。第１表示部としては、速度計４ｂ以外の表示部であればよい。
【００５４】
さらに、本実施形態では、時計表示部５ａを第２表示部としていたが、本発明はこれに限ったものではない。第２表示部としては、オド・トリップ表示部５ｂ以外の表示部であって、オド・トリップ表示部５ｂの対称位置に配置されている表示部であればよい。
【００５５】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００５６】
４ａ  回転計（表示部、第１表示部）
４ｂ  速度計（表示部）
５ａ  時計表示部（表示部、第２表示部）
５ｂ  オド・トリップ表示部（表示部）
１２  ＣＰＵ（断線検出手段、消灯手段）
Ｌ    光源
Ｌ２１〜Ｌ２８  回転計用光源（光源、第１表示部用光源）
Ｌ３１〜Ｌ３８  速度計用光源（光源）
Ｌ４１〜Ｌ４ｎ  時計表示部用光源（光源、第２表示部用光源）
Ｌ５１〜Ｌ５ｎ  オド・トリップ表示部用光源（光源）
【図１】
0005555576.tif 000002
【図２】
0005555576.tif 000003
【図３】
0005555576.tif 000004
【図４】
0005555576.tif 000005
【図５】
0005555576.tif 000006
【図６】
0005555576.tif 000007
【図７】
0005555576.tif 000008
【図８】
0005555576.tif 000009